(57)【要約】【課題】ユーザによるグループの選択を可能とし、選択されたグループと関連のあるグループについての情報や、その関連のあるグループに参加しているユーザについての情報を提供できるようにする技術の提供を目的とする。【解決手段】下位のグループへ参加すると上位のグループへも間接的に参加していると見なすことを前提として、ユーザ又はグループが参加しているグループの情報を記憶し、更に、通信回数等を使ってグループ間のつながりの指標となる相関値を記憶するようにする。そして、ユーザの要求に応答して起点グループを決定すると、その相関値に従って、起点グループに関連するグループを抽出して、その抽出したグループについての情報をユーザに提示し、それに対する応答を受け取ることで情報提供対象の関連グループを特定する。そして、その特定した関連グループに参加しているユーザについての情報をユーザに提示する。【選択図】          図２
2004326549.tif 000002
【特許請求の範囲】
【請求項１】
検索要求ユーザの操作する端末からの指示に応答して、情報検索の起点となるグループに関連するグループの情報を提供する関連グループ情報提供装置であって、
下位のグループへ参加すると上位のグループへも間接的に参加していると見なすことを前提として、ユーザ又はグループが参加しているグループの情報を記憶するグループ情報記憶手段と、
上記グループ情報記憶手段に対して、ユーザ又はグループが参加するグループの情報を登録する手段と、
上記グループ間のつながりの指標となる相関値を記憶する相関値記憶手段と、
上記相関値記憶手段に記憶される相関値を更新する手段と、
検索要求ユーザの情報検索の起点となるグループを決定する手段と、
上記相関値に従って、上記起点グループに関連するグループを抽出して、その抽出したグループについての情報を上記端末に提示し、それに対する応答を受け取ることで情報提供対象の関連グループを特定する手段と、
上記特定した関連グループに参加しているユーザについての情報を上記端末に提示する手段とを備えることを、
特徴とする関連グループ情報提供装置。
【請求項２】
請求項１記載の関連グループ情報提供装置において、
上記更新する手段は、検索要求ユーザが直接的又は間接的に参加しているグループと上記提示する手段の提示に応答して選択されるユーザが直接的又は間接的に参加しているグループとの組合せを対象として、上記相関値記憶手段に記憶される相関値を更新することを、
特徴とする関連グループ情報提供装置。
【請求項３】
請求項２記載の関連グループ情報提供装置において、
上記更新する手段は、グループ間の参加ユーザの通信回数の合計、または、グループ間の通信経験のある参加ユーザの組合せ数、あるいは、その双方を上記相関値として更新することを、
特徴とする関連グループ情報提供装置。
【請求項４】
請求項１記載の関連グループ情報提供装置において、
上記更新する手段は、上記登録する手段によりユーザ又はグループがメンバとして参加しているグループを変更する形態で上記グループ情報記憶手段に情報が登録される場合に、移動前の直接的又は間接的な参加グループと移動後の直接的又は間接的な参加グループとの組合せを対象として、上記相関値記憶手段に記憶される相関値を更新することを、
特徴とする関連グループ情報提供装置。
【請求項５】
請求項４記載の関連グループ情報提供装置において、
上記更新する手段は、グループ間の参加メンバの移動回数の合計、または、グループ間の移動経験のある参加メンバの組合せ数、あるいは、その双方を上記相関値として更新することを、
特徴とする関連グループ情報提供装置。
【請求項６】
請求項１ないし５のいずれか１項に記載の関連グループ情報提供装置において、
上記決定する手段は、検索要求ユーザが直接的又は間接的に参加しているグループの中から上記起点グループを決定することを、
特徴とする関連グループ情報提供装置。
【請求項７】
請求項１ないし６のいずれか１項に記載の関連グループ情報提供装置において、
上記決定する手段は、上記起点グループとして選択可能な全部又は一部のグループを抽出して、その抽出したグループについての情報を上記端末に提示し、それに対する応答を受け取ることで上記起点グループを決定することを、
特徴とする関連グループ情報提供装置。
【請求項８】
請求項１ないし７のいずれか１項に記載の関連グループ情報提供装置において、
地域をグループの一形態として取り扱って処理を行う場合にユーザの操作する端末の存在する地域にそのユーザが参加していると見なして、ユーザの操作する端末から受け取る通信情報に従って、その端末の存在する地域を検出する手段を備えることを、
特徴とする関連グループ情報提供装置。
【請求項９】
検索要求ユーザの操作する端末からの指示に応答して、情報検索の起点となるグループに関連するグループの情報を提供する関連グループ情報提供方法であって、
下位のグループへ参加すると上位のグループへも間接的に参加していると見なすことを前提として、ユーザ又はグループが参加しているグループの情報を記憶するグループ情報記憶手段に対して、ユーザ又はグループが参加するグループの情報を登録する過程と、
上記グループ間のつながりの指標となる相関値を記憶する相関値記憶手段に記憶される相関値を更新する過程と、
検索要求ユーザの情報検索の起点となるグループを決定する過程と、
上記相関値に従って、上記起点グループに関連するグループを抽出して、その抽出したグループについての情報を上記端末に提示し、それに対する応答を受け取ることで情報提供対象の関連グループを特定する過程と、
上記特定した関連グループに参加しているユーザについての情報を上記端末に提示する過程とを備えることを、
特徴とする関連グループ情報提供方法。
【請求項１０】
請求項９記載の関連グループ情報提供方法において、
上記更新する過程では、検索要求ユーザが直接的又は間接的に参加しているグループと上記提示に応答して選択されるユーザが直接的又は間接的に参加しているグループとの組合せを対象として、上記相関値記憶手段に記憶される相関値を更新することを、
特徴とする関連グループ情報提供方法。
【請求項１１】
請求項１０記載の関連グループ情報提供方法において、
上記更新する過程では、グループ間の参加ユーザの通信回数の合計、または、グループ間の通信経験のある参加ユーザの組合せ数、あるいは、その双方を上記相関値として更新することを、
特徴とする関連グループ情報提供方法。
【請求項１２】
請求項９記載の関連グループ情報提供方法において、
上記更新する過程では、上記登録によりユーザ又はグループがメンバとして参加しているグループを変更する形態で上記グループ情報記憶手段に情報が登録される場合に、移動前の直接的又は間接的な参加グループと移動後の直接的又は間接的な参加グループとの組合せを対象として、上記相関値記憶手段に記憶される相関値を更新することを、
特徴とする関連グループ情報提供方法。
【請求項１３】
請求項１２記載の関連グループ情報提供方法において、
上記更新する過程では、グループ間の参加メンバの移動回数の合計、または、グループ間の移動経験のある参加メンバの組合せ数、あるいは、その双方を上記相関値として更新することを、
特徴とする関連グループ情報提供方法。
【請求項１４】
請求項９ないし１３のいずれか１項に記載の関連グループ情報提供方法において、
上記決定する過程では、検索要求ユーザが直接的又は間接的に参加しているグループの中から上記起点グループを決定することを、
特徴とする関連グループ情報提供方法。
【請求項１５】
請求項９ないし１４のいずれか１項に記載の関連グループ情報提供方法において、
上記決定する過程では、上記起点グループとして選択可能な全部又は一部のグループを抽出して、その抽出したグループについての情報を上記端末に提示し、それに対する応答を受け取ることで上記起点グループを決定することを、
特徴とする関連グループ情報提供方法。
【請求項１６】
請求項９ないし１５のいずれか１項に記載の関連グループ情報提供方法において、
地域をグループの一形態として取り扱って処理を行う場合にユーザの操作する端末の存在する地域にそのユーザが参加していると見なして、ユーザの操作する端末から受け取る通信情報に従って、その端末の存在する地域を検出する過程を備えることを、
特徴とする関連グループ情報提供方法。
【請求項１７】
請求項９ないし１６のいずれか１項に記載の関連グループ情報提供方法の実現に用いられる処理をコンピュータに実行させるための関連グループ情報提供プログラム。
【請求項１８】
請求項９ないし１６のいずれか１項に記載の関連グループ情報提供方法の実現に用いられる処理をコンピュータに実行させるための関連グループ情報提供プログラムを記録した記録媒体。
【発明の詳細な説明】
【０００１】
【発明の属する技術分野】
本発明は、検索要求ユーザの操作する端末からの指示に応答して、情報検索の起点となるグループに関連するグループの情報を提供する関連グループ情報提供装置及びその方法と、その関連グループ情報提供方法の実現に用いられる関連グループ情報提供プログラム及びそのプログラムを記録した記録媒体とに関する。
【０００２】
【従来の技術】
ユーザに対して、そのユーザに合った通信相手の選択を容易にしたり、そのユーザに合った情報を提供する従来技術として、次のものがある。
【０００３】
〔第１の従来技術〕
ユーザ属性に合ったアイテムを推薦するルールベースのターゲティング技術として、米国ダブルクリック社およびダブルクリック株式会社の提供するＤＡＲＴの「ユーザー情報によるターゲティング」がある（例えば、非特許文献１参照）。
【０００４】
〔第２の従来技術〕
ユーザ利用履歴の集計によるデータマイニングによって、相互に類似しているユーザの集合と、各ユーザ群とつながり度の大きいアイテムの集合を抽出し、ターゲットとなるユーザに対して、そのユーザの利用履歴を基に類似ユーザ群を判定し、そのユーザ群とつながり度の大きいアイテムを推薦するターゲティング技術がある（例えば、非特許文献２参照）。
【０００５】
〔第３の従来技術〕
ユーザ利用履歴の集計によるデータマイニングによって、アイテム属性情報に基づいて形成される情報空間内に各アイテムと各ユーザをつながり度に基づき配置し、ターゲットとなるユーザに対して、つながり度の大きいアイテムを推薦するターゲティング技術がある（例えば、特許文献１参照）。
【０００６】
また、この他に、ユーザによるグループの選択を可能とし、選択されたグループに関連のある情報を提供し、通信相手の選択を容易にする従来技術として、次のものがある。
【０００７】
〔第４の従来技術〕
地域に関連付けられて登録されたアイテムを、対象地域を選択して情報を求めているユーザへ地域情報として提供し、ユーザによる地域情報取得履歴の集計によって得られる統計情報を、マーケティング情報として取得する技術がある（例えば、特許文献２参照）。
【０００８】
【非特許文献１】
インターネット＜ＵＲＬ：ｈｔｔｐ：／／ｗｗｗ．ｄｏｕｂｌｅｃｌｉｃｋ．ｎｅ．ｊｐ／  ＞
【非特許文献２】
「アクセス履歴のみから利用者の嗜好を分析推薦するアウェアネスネット」（情報処理学会第６２回（平成１３年前期）全国大会  特１  ｐｐ．２５３−２５６）
【特許文献１】
特開２０００−２８５１２７（「情報提供システム及び情報提供方法」）
【特許文献２】
特開２００２−１６３５５２（「地域情報提供システム」）
【０００９】
【発明が解決しようとする課題】
しかしながら、これらの従来技術は、本発明とは、その目的と用途とが異なる。
【００１０】
すなわち、本発明では、ユーザによるグループの選択を可能とし、選択されたグループと関連のあるグループとの間のつながり度に関する情報を提供することで、関連グループに参加している通信相手の選択を容易にすることを特徴とする。
【００１１】
これに対して、上述した第１〜３の従来技術は、この本発明とは、その目的と用途が異なるのである。
【００１２】
一方、上述した第４の従来技術は、地域をグループの一つの形態とみなして、ユーザによるグループの選択を可能とし、選択されたグループに関連のある情報を提供する点で本発明と共通しているものの、選択されたグループと関連のあるグループとの間のつながり度に関する情報を提供することで、関連グループに参加している通信相手の選択を容易にすることを特徴とする本発明とは、その目的と用途とが異なるのである。
【００１３】
本発明はかかる事情に鑑みてなされたものであって、ユーザによるグループの選択を可能とし、選択されたグループと関連のあるグループとの間のつながり度に関する情報を提供することで、関連グループに参加しているユーザの選択を容易なものとすることを実現する新たな技術の提供を目的とする。
【００１４】
【課題を解決するための手段】
この目的を達成するために、本発明の関連グループ情報提供装置は、検索要求ユーザの操作する端末からの指示に応答して、情報検索の起点となるグループに関連するグループの情報を提供する処理を行うために、▲１▼下位のグループへ参加すると上位のグループへも間接的に参加していると見なすことを前提として、ユーザ又はグループが参加しているグループの情報を記憶するグループ情報記憶手段と、▲２▼グループ情報記憶手段に対して、ユーザ又はグループが参加するグループの情報を登録する登録手段と、▲３▼グループ間のつながりの指標となる相関値を記憶する相関値記憶手段と、▲４▼相関値記憶手段に記憶される相関値を更新する更新手段と、▲５▼検索要求ユーザの情報検索の起点となるグループを決定する決定手段と、▲６▼相関値記憶手段に記憶される相関値に従って、起点グループに関連するグループを抽出して、その抽出したグループについての情報を検索要求ユーザの操作する端末に提示し、それに対する応答を受け取ることで情報提供対象の関連グループを特定する特定手段と、▲７▼特定手段の特定した関連グループに参加しているユーザについての情報を検索要求ユーザの操作する端末に提示する提示手段とを備えるように構成する。
【００１５】
このように構成されるときにあって、更新手段は、検索要求ユーザが直接的又は間接的に参加しているグループと提示手段の提示に応答して選択されるユーザが直接的又は間接的に参加しているグループとの組合せを対象として、相関値記憶手段に記憶される相関値を更新することがある。
【００１６】
このとき、更新手段は、グループ間の参加ユーザの通信回数の合計、または、グループ間の通信経験のある参加ユーザの組合せ数、あるいは、その双方を相関値として更新することがある。
【００１７】
また、更新手段は、登録手段によりユーザ又はグループがメンバとして参加しているグループを変更する形態でグループ情報記憶手段に情報が登録される場合に、移動前の直接的又は間接的な参加グループと移動後の直接的又は間接的な参加グループとの組合せを対象として、相関値記憶手段に記憶される相関値を更新することがある。
【００１８】
このとき、更新手段は、グループ間の参加メンバの移動回数の合計、または、グループ間の移動経験のある参加メンバの組合せ数、あるいは、その双方を相関値として更新することがある。
【００１９】
また、決定手段は、検索要求ユーザが直接的又は間接的に参加しているグループの中から起点グループを決定したり、そのような規制を設けずに、検索要求ユーザが直接的又は間接的に参加しているグループを抽出したり、起点グループとして選択可能な全部又は一部のグループを抽出して、その抽出したグループについての情報を検索要求ユーザの操作する端末に提示し、それに対する応答を受け取ることで起点グループを決定することがある。
【００２０】
また、地域をグループの一形態として取り扱って処理を行う場合にユーザの操作する端末の存在する地域にそのユーザが参加していると見なして、ユーザの操作する端末から受け取る通信情報に従って、その端末の存在する地域を検出することで、そのユーザの参加しているグループ（地域）を自動検出可能とする検出手段を備えることがある。
【００２１】
以上の各処理手段が動作することで実現される本発明の関連グループ情報提供方法はコンピュータプログラムで実現できるものであり、このコンピュータプログラムは、半導体メモリなどの記録媒体に記録して提供したり、ネットワークを介して提供することができる。
【００２２】
次に、本発明の関連グループ情報提供装置の動作について説明する。
【００２３】
本発明の関連グループ情報提供装置では、登録手段の登録処理に従って、グループ情報記憶手段には、下位のグループへ参加すると上位のグループへも間接的に参加していると見なすことを前提として、ユーザ又はグループが参加しているグループの情報が記憶されることになる。
【００２４】
そして、更新手段の更新処理に従って、相関値記憶手段には、グループ間のつながりの指標となる相関値として、グループ間の参加ユーザの通信回数の合計や、グループ間の通信経験のある参加ユーザの組合せ数や、グループ間の参加メンバの移動回数の合計や、グループ間の移動経験のある参加メンバの組合せ数などが記憶されることになる。
【００２５】
これらの情報が記憶されるときに、決定手段は、検索要求ユーザの操作する端末から起点グループの決定要求が発行されると、検索要求ユーザが直接的又は間接的に参加しているグループ（グループ情報記憶手段を参照することで得ることができる）の中から起点グループを決定したり、起点グループとして選択可能な全部又は一部のグループを抽出して、その抽出したグループについての情報を検索要求ユーザの操作する端末に提示し、それに対する応答を受け取ることで起点グループを決定する。
【００２６】
例えば、起点グループとして設定できるグループであるのか否かということがユーザの属性に対応付けて定義されているような場合には、検索要求ユーザの属性に従って起点グループとして選択可能なグループを抽出して、その抽出したグループについての情報を検索要求ユーザの操作する端末に提示し、それに対する応答を受け取ることで起点グループを決定するのである。
【００２７】
この起点グループの決定を受けて、特定手段は、相関値記憶手段に記憶される相関値に従って、その起点グループに関連するグループを抽出して、その抽出したグループについての情報（グループ情報記憶手段から取得される上位下位に繋がるグループの情報など）を検索要求ユーザの操作する端末に提示し、それに対する応答を受け取ることで情報提供対象の関連グループを特定する。
【００２８】
この情報提供対象の関連グループの特定を受けて、提示手段は、その特定された関連グループに参加しているユーザ（グループ情報記憶手段を参照することで得ることができる）についての情報を検索要求ユーザの操作する端末に提示する。
【００２９】
このようにして、本発明では、異なるグループ（地域）に属しているユーザ間の通信履歴やユーザのグループ（地域）を越えての移動履歴を基に、グループ（地域）間のつながり度を参照し、情報検索の起点となるグループ（地域）を選択して、情報を求めているユーザに対して、起点グループ（地域）に関連のあるグループ（地域）についての起点グループ（地域）とのつながり度の指標となる相関値を基にした情報を関連グループ情報として提供し、そのつながり度の大きい関連グループ（地域）に参加しているユーザの情報を提示することにより、通信相手の選択などを容易なものとすることを実現できるようになる。
【００３０】
【発明の実施の形態】
以下、実施の形態に従って本発明を詳細に説明する。
【００３１】
図１は、トップグループを頂点として、複数のグループがツリー状の階層構造を形成している例であり、グループとグループへの参加メンバとしてのグループまたはユーザとの関係を説明するためのイメージ図である。
【００３２】
ここで、各グループ、各ユーザは同時に複数のグループのメンバとはならないものとする。
【００３３】
本発明では、相互に直接または間接的に参加していないグループの組を対象として、グループ間のつながり度の指標となる集計値（上述の相関値となるもの）を集計する。
【００３４】
なお、片方のグループがもう片方のグループへ直接または間接的に参加しているグループの組については、グループ間のつながり度の情報としてグループ相互間の通信やメンバ移動の状況に関する情報を得たとしても、その情報は上位のグループから見るとグループ内の活動の一部の情報に過きず、グループ間のつながり度の情報という観点からすると意味を持たないので集計値の集計対象からは除外する。
【００３５】
図１に示す例では、グループ＃ｉ＋１はグループ＃ｉへ参加し、グループ＃ｊ＋１はグループ＃ｊへ参加し、ユーザ＃ｍはグループ＃ｉに直接参加またはグループ＃ｉの下位のグループに参加し、ユーザ＃ｎはグループ＃ｊに直接参加またはグループ＃ｊの下位のグループに参加していることを想定している。
【００３６】
グループ＃ｉとグループ＃ｊとの組合せは、相互に直接または間接的に参加していないのでグループ間のつながり度の指標となる集計値の集計対象となる。
【００３７】
しかし、グループ＃ｉ＋１はグループ＃ｉへ参加しているので、上述の理由により、グループ＃ｉ＋１とグループ＃ｉとのつながり度の情報については集計値の集計対象からは除外する。
【００３８】
ユーザ＃ｍはグループ＃ｉに直接参加またはグループ＃ｉの下位のグループに参加している。
【００３９】
ユーザ＃ｍがグループ＃ｉの下位のグループに参加しているときには、ユーザ＃ｍはグループ＃ｉへも間接的に参加していることになる。
【００４０】
また、ユーザ＃ｎはグループ＃ｊに直接参加またはグループ＃ｊの下位のグループに参加している。
【００４１】
ユーザ＃ｎがグループ＃ｊの下位のグループに参加しているときには、ユーザ＃ｎはグループ＃ｊへも間接的に参加していることになる。
【００４２】
このようなツリー状の階層構造が形成されているときに、ユーザ＃ｍがユーザ＃ｎを選択して通信を行ったり、グループ＃ｉに参加しているユーザ＃ｋがグループ＃ｊへ移動したりすると、グループ＃ｉとグループ＃ｊとの間で交流があったとみなされ、つながり度が大きくなると考えられる。
【００４３】
ここで、図１では、ユーザがメンバとして参加しているグループを変更する場合について図示しているが、グループがメンバとして参加しているグループを変更する場合もある。
【００４４】
次に、ユーザ＃ｍが情報検索の起点となるグループとしてグループ＃ｉを選択し、通信相手を検索する場合を考える。
【００４５】
なお、情報検索の起点となるグループについては、グループ＃ｉを選択可能なユーザとして、グループ＃ｉへ直接または間接的に参加しているユーザに限るというモデルと、そのように限定せずに、グループ＃ｉへ参加していないユーザであっても、グループ＃ｉに関心のあるユーザがグループ＃ｉを起点グループとして選択可能として、関心のあるグループ＃ｉとつながりの大きい（交流の多い）グループを探し出すことを可能とするモデルとが考えられる。
【００４６】
グループ＃ｉとグループ＃ｊとのつながり度の指標となる集計値の例として、例えば、
▲１▼グループ＃ｉとグループ＃ｊの相互間の参加ユーザの通信回数合計：
Ｃ（ｉ，ｊ）
▲２▼グループ＃ｉとグループ＃ｊの相互間の通信経験参加ユーザの組合せ数：
Ｃ’（ｉ，ｊ）
▲３▼グループ＃ｉとグループ＃ｊの相互間の参加メンバの移動回数合計：
Ｍ（ｉ，ｊ）
▲４▼グループ＃ｉとグループ＃ｊの相互間の移動経験メンバ数：
Ｍ’（ｉ，ｊ）
がある。
【００４７】
グループ＃ｉをグループ＃ｉへの参加ユーザの情報検索の起点となるグループと考えると、関連グループ＃ｊとのつながり度に関する情報として、これらの集計値を用いることが可能となる。
【００４８】
ユーザ＃ｍは、選択した起点グループ＃ｉの関連グループ情報として、これらの集計値をもとに提供される情報（例えばランキングなど）を参照して、関連グループの中からグループ＃ｊを選択できる。
【００４９】
さらに、グループ＃ｊのメンバとなっているユーザ＃ｎを通信相手ユーザとして選択可能となり、通信相手ユーザとＴＶ会議などの通信をしたり、そのユーザの提供している情報の閲覧をしたりすることができる。
【００５０】
なお、関連グループとして、下位のグループ（例えば、グループ＃ｊよりもグループ＃ｊ＋１）を選択すれば、候補が絞られて通信相手ユーザの選択は容易になる。
【００５１】
ユーザは、どこかのグループに参加していなくても起点グループを選択し、関連グループ情報をもとに関連グループを検索・選択して、通信相手ユーザを選択することは可能であるが、グループ間のつながり度の指標となる集計値の更新処理を行うことはできないので、その利用情報は集計値へは反映されない。
【００５２】
図２に、本発明を具備する情報提供装置１００の装置構成の一実施形態例を図示する。ここで、２００はユーザ端末、３００は通信回線である。
【００５３】
この図に示すように、本発明を具備する情報提供装置１００は、グループ情報記憶部１０１と、グループ参加メンバ情報記憶部１０２と、グループ参加メンバ履歴記憶部１０３と、ユーザ情報記憶部１０４と、グループ相関情報記憶部１０５と、通信相手ユーザ選択履歴記憶部１０６と、参加グループ選択受付部１１１と、起点グループ選択受付部１１２と、関連グループ選択受付部１１３と、通信相手ユーザ選択受付部１１４と、グループ相関情報更新部１１５とを備える。
【００５４】
これらの内、グループ情報記憶部１０１、グループ参加メンバ情報記憶部１０２、グループ参加メンバ履歴記憶部１０３、ユーザ情報記憶部１０４、グループ相関情報記憶部１０５および通信相手ユーザ選択履歴記憶部１０６については、メモリやデータベース装置などで構成されることになる。また、参加グループ選択受付部１１１、起点グループ選択受付部１１２、関連グループ選択受付部１１３、通信相手ユーザ選択受付部１１４およびグループ相関情報更新部１１５については、プログラムや専用のロジックハードウェアなどで構成されることになる。
【００５５】
グループ情報記憶部１０１は、図３に示すように、グループ指定を行うときに参照されるための各グループの属性情報を記憶する。
【００５６】
ここで、図３では、地区と、その地区にある学校とをグループの具体例として記載しているが、これはあくまで一例であって、グループには、人間や監視装置などの装置などが参加可能な様々なグループを含ませることができる。
【００５７】
グループ参加メンバ情報記憶部１０２は、図４に示すように、ユーザまたはグループのメンバとしてのグループへの参加状況を記憶する。
【００５８】
ここで、図４では、グループ＃ｉ＋１がグループ＃ｉに参加し、グループ＃ｊ＋１がグループ＃ｊに参加していることだけを図示しているが、このグループ＃ｉやグループ＃ｊが別のグループに参加している場合には、グループ参加メンバ情報記憶部１０２には、それについての参加状況が記憶されることで、ユーザ又はグループが参加しているグループの情報が記憶されることになる。これにより、図１で説明したようなツリー状の階層構造が形成可能となる。
【００５９】
グループ参加メンバ履歴記憶部１０３は、図５に示すように、ユーザまたはグループのメンバとしてのグループへの参加履歴を記憶する。
【００６０】
ユーザ情報記憶部１０４は、図６に示すように、通信相手のユーザを指定するときに参照されるための各ユーザの属性情報を記憶する。
【００６１】
ここで、図６では、ユーザの属性情報として名前だけを記憶しているが、これはあくまで一例であって、ユーザの属性情報としては様々な情報を記憶することが可能である。
【００６２】
グループ相関情報記憶部１０５は、図７のイメージ例に示すように、グループ相互間のつながり度の指標となる集計値を記憶する。
【００６３】
ここで、図７では、図１に示したように、グループ＃ｉ＋１はグループ＃ｉへ参加し、グループ＃ｊ＋１はグループ＃ｊへ参加していることを想定しており、これから図中に示す＊部分は、上述した理由により集計の対象外となる。また、左下の網掛け部分の持つ対角線部分については、同じグループ同士であることで集計値を持たないとともに、それ以外の左下の網掛け部分については、右上部分との重複部分となる。
【００６４】
グループ相関情報記憶部１０５は、具体的には、図８に示すようなリレーショナルデータベースのデータ構造に従って、グループ相互間のつながり度の指標となる集計値を記憶することになる。
【００６５】
通信相手ユーザ選択履歴記憶部１０６は、図９に示すように、情報検索ユーザが通信相手ユーザを選択した履歴を記憶する。
【００６６】
参加グループ選択受付部１１１は、ユーザまたはグループが参加グループを選択可能とするための処理を行うものであって、▲１▼参加グループ選択主体としてのユーザまたはグループが参加グループとして選択可能な全部または一部のグループを抽出し、▲２▼グループ情報記憶部１０１に記憶されている各グループの属性情報に、グループ参加メンバ情報記憶部１０２を参照して抽出される各グループ相互間の階層構造情報を付加して、ユーザ端末２００またはグループ代表のユーザ端末２００へ送信し、▲３▼ユーザ端末２００またはグループ代表のユーザ端末２００にて入力された参加グループ選択情報を受信し、▲４▼グループへのメンバ参加状況としてグループ参加メンバ情報記憶部１０２へ記録し、▲５▼グループへのメンバ参加履歴としてグループ参加メンバ履歴記憶部１０３へ記録する処理を行う。
【００６７】
起点グループ選択受付部１１２は、情報検索ユーザの情報検索の起点となる起点グループを選択可能とするための処理を行うものであって、▲１▼起点グループの選択を情報検索ユーザが参加しているグループの範囲に限る場合には、グループ参加メンバ情報記憶部１０２を参照して、情報検索ユーザが直接または間接的に参加している全部または一部のグループを抽出し、そうでない場合には、起点グループとして選択可能な全部または一部のグループを抽出し、▲２▼グループ情報記憶部１０１に記憶されている各起点グループ候補のグループの属性情報に、グループ参加メンバ情報記憶部１０２を参照して抽出される各起点グループ候補のグループ相互間の階層構造情報を付加してユーザ端末２００へ送信し、▲３▼ユーザ端末２００にて入力された起点グループ選択情報を受信する処理を行う。
【００６８】
ここで、起点グループの選択を情報検索ユーザが参加しているグループの範囲に限る場合に、その中から、例えば最下位のグループを選択することなどにより、起点グループを自動的に選択するという構成を用いることも可能である。
【００６９】
関連グループ選択受付部１１３は、選択された起点グループに関連のある関連グループを選択可能とするための処理を行うものであって、▲１▼起点グループと各関連グループとの間のつながり度の指標としてグループ相関情報記憶部１０５に記憶されている各集計値を基にした関連グループに関する情報を関連グループ情報として取得して、グループ情報記憶部１０１に記憶されている各関連グループの属性情報を付加した形でユーザ端末２００へ送信し、▲２▼ユーザ端末２００にて入力された関連グループ選択情報を受信する処理を行う。
【００７０】
通信相手ユーザ選択受付部１１４は、選択された関連グループへの参加ユーザの中から通信相手ユーザを選択可能とするための処理を行うものであって、▲１▼グループ参加メンバ情報記憶部１０２を参照することで、選択された関連グループへの参加ユーザを抽出し、▲２▼ユーザ情報記憶部１０４を参照して各参加ユーザの属性情報を得てユーザ端末２００へ送信し、▲３▼ユーザ端末２００にて入力された通信相手ユーザの選択情報を受信する処理を行う。
【００７１】
グループ相関情報更新部１１５は、グループ相関情報記憶部１０５に記憶されている各集計値を更新するための処理を行うものであって、図１０の処理フローに示すように、▲１▼通信相手ユーザ選択受付部１１４での情報検索ユーザによる通信相手ユーザの選択情報を基に、グループ参加メンバ情報記憶部１０２を参照して、情報検索ユーザが直接または間接的に参加している全グループと選択された通信相手ユーザが直接または間接的に参加している全グループの中から、情報検索ユーザと通信相手ユーザとが共通に参加しているグループを除いたグループを相関情報更新対象グループとして抽出し、▲２▼情報検索ユーザが直接または間接的に参加している各グループと選択された通信相手ユーザが直接または間接的に参加している各グループとのそれぞれのつながり度の指標として、グループ相関情報記憶部１０５に記憶されている各集計値を読み出し、計算し直して更新する処理を行う。
【００７２】
ここで、グループ相関情報更新部１１５は、ある集計期間を単位として、各集計値を集計するように処理することがある。
【００７３】
この更新処理に従って、グループ相関情報記憶部１０５には、グループ＃ｉとグループ＃ｊとのつながり度の指標となる集計値の例として、グループ＃ｉとグループ＃ｊの相互間の参加ユーザの通信回数合計Ｃ（ｉ，ｊ）が記憶されることになる。
【００７４】
また、グループ相関情報更新部１１５は、図１１の処理フローに示すように、抽出した上述の相関情報更新対象グループについて、▲１▼「情報検索ユーザとその直接参加グループと選択された通信相手ユーザとその直接参加グループの組合せ」と同一の組合せが、集計期間として設けられた期間内の通信相手ユーザ選択履歴記憶部１０６に記憶されている通信相手ユーザ選択履歴の中に含まれていない場合に限って、情報検索ユーザが直接または間接的に参加している各グループと選択された通信相手ユーザが直接または間接的に参加している各グループとのそれぞれのつながり度の指標として、グループ相関情報記憶部１０５に記憶されている各集計値を読み出し、計算し直して更新し、▲２▼さらに、通信相手ユーザ選択履歴記憶部１０６に記憶されていない「情報検索ユーザとその直接参加グループと選択された通信相手ユーザとその直接参加グループの組合せ」を、通信相手ユーザの選択履歴として通信相手ユーザ選択履歴記憶部１０６へ記録する。
【００７５】
この更新処理に従って、グループ相関情報記憶部１０５には、グループ＃ｉとグループ＃ｊとのつながり度の指標となる集計値の例として、グループ＃ｉとグループ＃ｊの相互間の通信経験参加ユーザの組合せ数Ｃ’（ｉ，ｊ）が記憶されることになる。
【００７６】
また、このグループ相関情報更新部１１５は、図１２の処理フローに示すように、参加グループ選択受付部１１１が受信した参加グループ選択情報と、グループ参加メンバ履歴記憶部１０３を参照して得られる参加グループ選択主体のグループ参加履歴情報とから、今回参加グループとして選択されたグループと参加グループ選択主体が過去に参加経験のあるグループとのつながり度の指標としてグループ相関情報記憶部１０５に記憶されている集計値を読み出し、計算し直して更新する。
【００７７】
このとき、図１３の処理フローに示すように、同一の組合せが、集計期間として設けられた期間内の通信相手ユーザ選択履歴記憶部１０６に記憶されていない場合に限って、この更新処理を実行することがある。
【００７８】
この図１２の処理フローの更新処理に従って、グループ相関情報記憶部１０５には、グループ＃ｉとグループ＃ｊとのつながり度の指標となる集計値の例として、グループ＃ｉとグループ＃ｊの相互間の参加メンバの移動回数合計Ｍ（ｉ，ｊ）が記憶されることになる。
【００７９】
そして、図１３の処理フローの更新処理に従って、グループ相関情報記憶部１０５には、グループ＃ｉとグループ＃ｊとのつながり度の指標となる集計値の例として、グループ＃ｉとグループ＃ｊの相互間の移動経験メンバ数Ｍ’（ｉ，ｊ）が記憶されることになる。
【００８０】
このように構成される本発明を具備する情報提供装置１００では、図１４の処理フローに示す手順に従って、ユーザ端末２００を操作するユーザに対して、通信相手を選択できるようにする支援処理を実行する。
【００８１】
すなわち、本発明を具備する情報提供装置１００は、ユーザ端末２００から処理要求が発行されると、図１４の処理フローに示すように、先ず最初に、ステップ１００で、ユーザ端末２００を操作するユーザから参加グループの選択要求が発行されたのか否かを判断して、参加グループの選択要求が発行されたことを判断するときには、ステップ１０１に進んで、ユーザ端末２００に対して、そのユーザが参加可能なグループの情報を送信し、続くステップ１０２で、その送信に応答して返信されてくる参加グループの選択情報を受信することで、そのユーザが参加するグループを選択する。
【００８２】
ここで、ユーザが参加するグループについては、ユーザ自身が設定する場合もあるし、システムの管理者が設定する場合もあるが、この処理フローでは、説明の便宜上、ユーザ自身が設定することで説明してある。
【００８３】
また、ユーザが参加可能なグループとは、例えば、参加可能なグループであるのか否かということがユーザの属性に対応付けて定義されているような場合には、ユーザの属性に従って参加可能なグループであるのか否かが決定されることになる。また、そのような制限がない場合には、すべてのグループが参加可能なグループとなる。
【００８４】
このステップ１０１／ステップ１０２の処理については、参加グループ選択受付部１１１が実行することになる。
【００８５】
一方、ステップ１００で、ユーザ端末２００から発行された処理要求が参加グループの選択要求ではなくて、起点グループの選択要求であることを判断するときには、ステップ１０３に進んで、ユーザ端末２００に対して、そのユーザが起点グループとして選択可能なグループの情報を送信し、続くステップ１０４で、その送信に応答して返信されてくる起点グループの選択情報を受信することで、起点グループを決定する。
【００８６】
ここで、ユーザが選択可能な起点グループとは、例えば、起点グループとして選択可能なグループであるのか否かということがユーザの属性に対応付けて定義されているような場合には、ユーザの属性に従って起点グループとして選択可能なグループであるのか否かが決定されることになる。また、そのような制限がない場合には、すべてのグループが起点グループとして選択可能なグループとなる。
【００８７】
また、この起点グループの決定にあたって、起点グループとしてユーザが参加しているグループの範囲に限るという制限を設ける場合には、参加グループ選択受付部１１１が受け付けた参加グループの情報を参照することになる。
【００８８】
このステップ１０３／ステップ１０４の処理については、起点グループ選択受付部１１２が実行することになる。
【００８９】
起点グループを決定すると、続いて、ステップ１０５で、グループ相関情報記憶部１０５を参照することで、起点グループとつながりを持つ複数の関連グループを取得して、ユーザ端末２００に対して、その関連グループの情報を送信し、続くステップ１０６で、その送信に応答して返信されてくる関連グループの選択情報を受信することで、起点グループとつながりを持つ関連グループを特定する。
【００９０】
このとき、グループ相関情報記憶部１０５に登録される集計値に従って、ユーザ端末２００に送信する関連グループをランキングして、それに対応付ける形でユーザ端末２００に送信する関連グループの情報を送信するようにしてもよい。また、ユーザ端末２００から複数の関連グループの選択情報を受信するようにしてもよい。
【００９１】
このステップ１０５／ステップ１０６の処理については、関連グループ選択受付部１１３が実行することになる。
【００９２】
起点グループとつながりを持つ関連グループを特定すると、続いて、ステップ１０７で、グループ参加メンバ情報記憶部１０２およびユーザ情報記憶部１０４を参照することで、関連グループ選択受付部１１３が特定した関連グループに参加しているユーザの情報を取得して、ユーザ端末２００に対して、そのユーザの情報を送信し、続くステップ１０８で、その送信に応答して返信されてくる通信相手ユーザの選択情報を受信する。
【００９３】
このステップ１０７／ステップ１０８の処理については、通信相手ユーザ選択受付部１１４が実行することになる。
【００９４】
ここで、図１４の処理フローでは説明を省略してあるが、情報検索を行ったユーザがどこかのグループに参加している場合には、提示される関連グループに参加しているユーザとの間で通信が行われると、図２に示したグループ相関情報更新部１１５により、グループ間のつながり度の指標となる集計値の更新処理が行われることになる。但し、ユーザは、どこかのグループに参加していなくても起点グループを選択し、関連グループ情報をもとに関連グループを検索・選択して、通信相手ユーザを選択することは可能である。
【００９５】
このようにして、本発明を具備する情報提供装置１００では、異なるグループに属しているユーザ間の通信履歴やユーザのグループを越えての移動履歴を基に、グループ間のつながり度を参照し、情報検索の起点となるグループを選択して、情報を求めているユーザに対して、起点グループに関連のあるグループについての起点グループとのつながり度の指標となる集計値を基にした情報を関連グループ情報として提供し、そのつながり度の大きい関連グループに参加しているユーザの情報を提示することにより、通信相手を容易に選択できるようにすることを実現するのである。
【００９６】
図１５に、本発明を具備する情報提供装置１００の装置構成の他の実施形態例を図示する。ここで、４００は接続装置、４０１は常時接続通信回線、４０２は通信回線である。
【００９７】
この図に示す本発明を具備する情報提供装置１００は、地域をグループの一形態とみなして処理を行うものであって、地域情報記憶部１２１と、地域参加メンバ情報記憶部１２２と、接続装置配備区域記憶部１２３と、参加地域選択受付部１３１とを備える。
【００９８】
地域情報記憶部１２１は、上述したグループ情報記憶部１０１に相当するものであって、図１６に示すように、地域指定を行うときに参照されるための各地域の属性情報を記憶する。
【００９９】
地域参加メンバ情報記憶部１２２は、上述したグループ参加メンバ情報記憶部１０２に相当するものであって、図１７に示すように、ユーザまたは地域のメンバとしての地域への参加状況を階層的に記憶する。
【０１００】
接続装置配備区域記憶部１２３は、図１８（ａ）に示すように、接続装置４００の配備区域の情報を記録し、これに加えて、図１８（ｂ）に示すように、ユーザ端末位置関連情報（例えばＩＰアドレス）の接続装置４００への割り当て情報を記憶する。
【０１０１】
参加地域選択受付部１３１は、参加グループ選択受付部１１１に相当するものであって、▲１▼接続装置４００から受信したユーザ端末位置関連情報を基に、接続装置配備区域記憶部１２３に記録されている接続装置４００の配備区域情報を参照することで得られるユーザ端末位置情報を用いて、ユーザの参加地域選択を受け付けるか、▲２▼あるいは、ユーザが参加地域を選択可能とするために、参加地域として選択可能な全部または一部の地域を抽出し、地域情報記憶部１２１に記録されている各地域の属性情報に、地域参加メンバ情報記憶部１２２を参照して抽出される各地域相互間の階層構造情報を付加してユーザ端末２００へ送信し、これに対するユーザ端末２００での入力内容を受信することで得られる参加地域選択情報を用いて、ユーザの参加地域選択を受け付ける処理を行う。
【０１０２】
このように構成される本発明では、接続装置４００は、本発明を具備する情報提供装置１００へ常時接続通信回線４０１を経由して接続されており、ユーザ端末２００が通信回線４０２を経由して接続してきたときに、ユーザ端末２００の位置が特定可能となる情報（ユーザ端末位置関連情報）をユーザ端末２００へ割り当てておき、ユーザ端末２００は、この接続装置４００から通知されたユーザ端末位置関連情報を情報提供装置１００へ送信する。
【０１０３】
接続装置４００とユーザ端末２００とが無線ＬＡＮで接続されている場合（ホットスポットが含まれる）や、接続装置４００がＨＵＢでユーザ端末２００とＬＡＮケーブルで接続されている場合には、ユーザ端末位置関連情報としてＩＰアドレスを用いることができる。
【０１０４】
また、ユーザ端末２００が携帯電話端末で、接続装置４００が基地局であるときには、ユーザ端末位置関連情報は基地局ＩＤとなり、基地局ＩＤと地域ＩＤとの対応付けを接続装置配備区域記憶部１２３に記録しておけば、ユーザ端末位置情報としての地域ＩＤが得られることになる。
【０１０５】
この構成に従って、図１５に示す本発明を具備する情報提供装置１００では、グループの一形態として地域を考えるとき、ユーザの参加グループに相当する参加地域の選択について、ユーザ端末２００の位置情報を用いてユーザが意識しなくても参加地域を自動的に選択できるようになる。
【０１０６】
この構成を採るときに、上述したように、ユーザ端末２００の位置によって自動的に参加地域を選択する形態と、ユーザ端末２００の位置に関わらずユーザ意思によって参加地域を選択する形態のいずれかを選択できるようにすることが好ましい。
【０１０７】
【発明の効果】
以上説明したように、本発明では、異なるグループ（地域）に属しているユーザ間の通信履歴やユーザのグループ（地域）を越えての移動履歴を基に、グループ（地域）間のつながり度を参照し、情報検索の起点となるグループ（地域）を選択して、情報を求めているユーザに対して、起点グループ（地域）に関連のあるグループ（地域）についての、起点グループ（地域）とのつながり度の指標となる集計値を基にした情報を関連グループ情報として提供し、そのつながり度の大きい関連グループ（地域）に参加しているユーザの情報を提示することにより、通信相手の選択などを容易なものとすることを実現できるようになる。
【０１０８】
以下、本発明の効果について、さらに詳述する。
【０１０９】
本発明によれば、わざわざ情報検索の起点となるグループに関連のあるグループを登録しておかなくても、グループ間の交流の実績によって、つながり度の大きい関連グループを抽出することが可能で、ランキングを作成して提供することなどにより、つながり度の大きい関連グループを容易に選択可能となり、さらにその参加ユーザの選択も容易になる。
【０１１０】
また、複数のグループによるツリー状の階層構造を考えることによって、グループの大きさに応じたつながり度に関する情報が取得可能となり、関連グループとして上位階層のグループを抽出するほど大きなグループ、下位階層のグループを抽出するほど小さなグループとのつながり度の情報が取得可能となる。
【０１１１】
情報検索をする目的としては、通信相手特定を目的とするユーザ向けの情報提供に限らず、情報提供を目的としてグループに参加しているユーザ向けに、自身の参加グループへの参加メンバを通信相手として選択してくることが多いユーザ群が参加しているグループの情報を、マーケティング情報として取得することも副次的な効果として可能となる。
【０１１２】
例えば、ある地域の商店が交流の多い地域の住民向けに広告を出したいと思うとき、交流の多い地域をマーケティング情報として抽出し、抽出された地域向けに広告提供を行うといった応用が可能となる。
【０１１３】
また、本発明では、グループ相互間のつながり度の指標となる集計値として、各グループの参加ユーザ相互による通信回数合計を集計できるようにしている。通信回数合計が大きな値になるということはグループ間のつながり度が大きいとみなすことができる。この通信回数合計の集計にあたっては、期間を区切って集計するようにすれば、その期間内の通信回数合計をつながり度の指標となる集計値として利用することも可能となる。
【０１１４】
また、本発明では、グループ相互間のつながり度の指標となる集計値として、各グループの参加ユーザのうち通信経験がある参加ユーザの組合せ数を集計できるようにしている。通信経験がある参加ユーザの組合せ数が大きな値になるということはグループ間のつながり度が大きいとみなすことができる。この組合せ数の集計にあたっては、期間を区切って集計するようにすれば、その期間内の通信経験のある参加ユーザの組合せ数をつながり度の指標となる集計値として利用することも可能となる。
【０１１５】
グループ相互間の参加ユーザによる通信回数合計は、特定参加ユーザ同士の通信が多い場合に大きな値となってしまう可能性があるという欠点を持っているが、つながり度を示す指標となる集計値として、グループ相互間の参加ユーザのうち通信経験がある参加ユーザの組合せ数を用いることで、通信回数合計を参照するだけでは回避できない特定の通信回数の多い参加ユーザ間の通信による影響を排除したつながり度の指標を得ることができるようになる。
【０１１６】
また、本発明では、グループ相互間のつながり度の指標となる集計値として、グループ相互間の参加メンバの移動回数合計や移動経験メンバ数を集計できるようにしている。グループ相互間の参加メンバの移動回数合計や移動経験メンバ数が大きな値になるということはグループ間のつながり度が大きいとみなすことができる。この移動回数合計や移動経験メンバ数の集計にあたっては、期間を区切って集計するようにすれば、その期間内の参加メンバの移動回数合計や移動経験メンバ数をつながり度の指標となる集計値として利用することも可能となる。
【０１１７】
グループ相互間の参加ユーザによる参加メンバの移動回数合計は、特定参加メンバの移動が多い場合に大きな値となってしまう可能性があるという欠点を持っているが、つながり度を示す指標となる集計値として、グループ相互間の移動経験メンバ数を用いることで、参加メンバの移動回数合計を参照するだけでは回避できない特定の移動回数の多い参加ユーザの移動による影響を排除したつながり度の指標を得ることができるようになる。
【０１１８】
また、本発明では、グループの一形態として地域を考えるとき、ユーザの参加グループに相当する参加地域の選択について、ユーザ端末の位置情報を用いてユーザが意識しなくても参加地域を自動的に選択できるようにする形態を用意することで、ユーザ端末の位置によって自動的に参加地域を選択する形態と、ユーザ端末の位置に関わらずユーザ意思によって参加地域を選択する形態のいずれかを選択できるようにしている。
【０１１９】
これにより、参加地域を足がかりとして情報検索の基になる起点地域を選択し、起点地域の情報を検索しながら起点地域に関連のある地域を検索・選択し、さらに関連地域に参加している通信相手を検索・選択することができるようになる。
【図面の簡単な説明】
【図１】グループ間の階層関係の説明図である。
【図２】本発明の情報提供装置の装置構成の一実施形態例である。
【図３】グループ情報記憶部の記憶するデータの一例を示す図である。
【図４】グループ参加メンバ情報記憶部の記憶するデータの一例を示す図である。
【図５】グループ参加メンバ履歴記憶部の記憶するデータの一例を示す図である。
【図６】ユーザ情報記憶部の記憶するデータの一例を示す図である。
【図７】グループ相関情報記憶部の記憶するデータの一例を示す図である。
【図８】グループ相関情報記憶部の記憶するデータの一例を示す図である。
【図９】通信相手ユーザ選択履歴記憶部の記憶するデータの一例を示す図である。
【図１０】グループ相関情報更新部の実行する処理フローである。
【図１１】グループ相関情報更新部の実行する処理フローである。
【図１２】グループ相関情報更新部の実行する処理フローである。
【図１３】グループ相関情報更新部の実行する処理フローである。
【図１４】本発明の情報提供装置の実行する処理フローである。
【図１５】本発明の情報提供装置の装置構成の他の実施形態例である。
【図１６】地域情報記憶部の記憶するデータの一例を示す図である。
【図１７】地域参加メンバ情報記憶部の記憶するデータの一例を示す図である。
【図１８】接続装置配備区域記憶部の記憶するデータの一例を示す図である。
【符号の説明】
１００  情報提供装置
１０１  グループ情報記憶部
１０２  グループ参加メンバ情報記憶部
１０３  グループ参加メンバ履歴記憶部
１０４  ユーザ情報記憶部
１０５  グループ相関情報記憶部
１０６  通信相手ユーザ選択履歴記憶部
１１１  参加グループ選択受付部
１１２  起点グループ選択受付部
１１３  関連グループ選択受付部
１１４  通信相手ユーザ選択受付部
１１５  グループ相関情報更新部
２００  ユーザ端末
３００  通信回線
【図１】
2004326549.tif 000003
【図２】
2004326549.tif 000004
【図３】
2004326549.tif 000005
【図４】
2004326549.tif 000006
【図５】
2004326549.tif 000007
【図６】
2004326549.tif 000008
【図７】
2004326549.tif 000009
【図８】
2004326549.tif 000010
【図９】
2004326549.tif 000011
【図１０】
2004326549.tif 000012
【図１１】
2004326549.tif 000013
【図１２】
2004326549.tif 000014
【図１３】
2004326549.tif 000015
【図１４】
2004326549.tif 000016
【図１５】
2004326549.tif 000017
【図１６】
2004326549.tif 000018
【図１７】
2004326549.tif 000019
【図１８】
2004326549.tif 000020